(57)【要約】      （修正有）【課題】上位の回路遮断器の状態を判定できる相互接続モジュールを提供する。【解決手段】電気回路遮断器と電気接触器との間の相互接続モジュール３０は、ハウジング７０と、前記ハウジングの内部に収容された複数の高電力電源導体３１、３２、３３であって、前記高電力電源導体の各々は、回路遮断器から接触器へと電源電流が流れることを可能にするために、前記回路遮断器の電気出力を前記接触器の電気入力に電気的に接続するのに適している、複数の高電力電源導体とを備える。前記相互接続モジュール３０はさらに、前記高電力電源導体３１、３２、３３の少なくとも２つの間における電圧の存在を検出するのに適している電圧センサを備える。【選択図】図４
2018010864.tif 000002
【特許請求の範囲】
【請求項１】
電気回路遮断器（１０）と電気接触器（２０）との間の相互接続モジュール（３０）であって、前記相互接続モジュール（３０）は、ハウジング（７０）と、前記ハウジングの内部に収容された複数の高電力電源導体（３１、３２、３３）であって、前記高電力電源導体の各々は、回路遮断器から接触器へと電源電流が流れることを可能にするために、前記回路遮断器の電気出力を前記接触器の電気入力に電気的に接続するのに適している、複数の高電力電源導体（３１、３２、３３）とを備え、前記相互接続モジュール（３０）はさらに、前記高電力電源導体（３１、３２、３３）の少なくとも２つの間における電圧（Ｖｐ）の存在を検出するのに適している電圧センサ（８０）を備えることを特徴とする、相互接続モジュール（３０）。
【請求項２】
前記高電力電源導体のうちの２つ（３１、３３）は各々、第１の導電性プレート（３１６、３３６）を備え、前記電圧センサ（８０）は、
２つの第２の導電性プレート（８１、８３）であって、前記第２の導電性プレート（８１、８３）は各々、前記第１の導電性プレート（３１６、３３６）のうちの１つから離間して配置され、前記第１の導電性プレート（３１６、３３６）のうちの１つに対向する、２つの第２の導電性プレート（８１、８３）と、
前記２つの第２の導電性プレート（８１、８３）間における測定電圧（Ｖｍ）を測定する測定回路（８４）であって、前記電圧（Ｖｐ）の存在は、前記測定電圧（Ｖｍ）の値に基づいて検出され、前記測定電圧（Ｖｍ）は、各第２の導電性プレート（８１、８３）と、対応する高電力電源導体の前記第１の導電性プレート（３１６、３３６）との間における静電容量（Ｃ１、Ｃ２）値に依存する、測定回路（８４）と、
を備えることを特徴とする、請求項１に記載の相互接続モジュール。
【請求項３】
前記第２の導電性プレート（８１、８３）は各々、前記相互接続モジュール（３０）の電子回路基板（５０）の１つの面（５０２）上に形成され、前記第１の導電性プレート（３１６、３３６）に平行に延伸する導電性トラックを含むことを特徴とする、請求項２に記載の相互接続モジュール。
【請求項４】
前記第２の導電性プレート（８１、８３）の表面は、相互に同一であることを特徴とする、請求項２または３に記載の相互接続モジュール。
【請求項５】
前記第２の導電性プレート（８１、８３）の表面は、前記第１の導電性プレート（３１６、３３６）の表面と同一であることを特徴とする、請求項２または４に記載の相互接続モジュール。
【請求項６】
前記電圧センサ（８０）に電気的に接続され、前記電圧（Ｖｐ）の存在または不存在が前記電圧センサ（８０）により検出された場合にデータバスに信号を送信するようにプログラムされた電子処理ユニット（５１）を備えることを特徴とする、請求項１から５のいずれか一項に記載の相互接続モジュール。
【請求項７】
前記電圧センサ（８０）は、前記測定電圧（Ｖｍ）をフィルタリングするのに適しているローパスフィルタを含むことを特徴とする、請求項１から６のいずれか一項に記載の相互接続モジュール。
【請求項８】
前記電圧センサ（８０）は、過電圧からの保護のための双方向ツェナーダイオード（８０２）を含むことを特徴とする、請求項１から７のいずれか一項に記載の相互接続モジュール。
【請求項９】
電気接触器（２０）であって、制御信号に応じて、前記接触器の複数の電流入力と複数の電流出力とを相互に選択的に接続しまたは電気的に絶縁するように構成された複数の切り離し可能な電気接点を含む電気接触器（２０）と、
前記電気接触器（２０）の前記電流入力に電気的に接続され、前記電気接触器を電気回路遮断器（１０）に電気的に接続するように構成された複数の電源導体（３１、３２、３３）を含む相互接続モジュール（３０）と、
を備え、
前記相互接続モジュールは、請求項１から８のいずれか一項に記載されたものであり、前記相互接続モジュールの前記電源導体（３１、３２、３３）は、前記接触器の前記電流入力に電気的に接続される、ことを特徴とする電気装置。
【請求項１０】
電気回路遮断器（１０）と、
電気接触器（２０）と、前記接触器に接続された相互接続モジュール（３０）とを含む電気装置と、
を備え、
前記相互接続モジュール（３０）は、前記回路遮断器と前記接触器との間にあり、前記回路遮断器を前記接触器に電気的に接続し、前記電気装置は、請求項９に記載されたものである、ことを特徴とする電気アセンブリ（３）。
【発明の詳細な説明】
【技術分野】
【０００１】
本発明は、電圧センサを備える電気アセンブリの回路遮断器と接触器との相互接続モジュールに関する。本発明はまた、この種の相互接続モジュールと接触器とを備える電気装置に関する。本発明はそして、この種の相互接続モジュールにより相互に電気的に接続された回路遮断器と電気接触器とを含む電気アセンブリに関する。
【背景技術】
【０００２】
電気アセンブリについては、電気的負荷への電力の供給を制御し、かつ上記の電気的負荷を保護することを目的としていることで知られている。たとえば、非同期モータなどの産業用電気モータを制御するためのモータスタータシステムが知られている。
【０００３】
この種の電気アセンブリは、各電気的負荷に対して、上記の電気的負荷への電力の供給を制御する回路遮断器と接触器とを通常備える。回路遮断器は上流側に設けられ、短絡や過電流などの異常から電源装置を保護している。接触器は下流側に設けられ、制御信号に応じて、電気的負荷への電力の供給を選択的に中断することを可能にしている。本相互接続モジュールは、回路遮断器の電気出力と接触器の電気入力とを電気的に相互接続している。この種の相互接続モジュールは、たとえば仏国特許出願公開第２８０６５２５号明細書に記載されている。
【発明の概要】
【発明が解決しようとする課題】
【０００４】
しかしながら、これらの公知の装置を使用しても、相互接続モジュールにおいて、上流側に設けられた回路遮断器の状態に関する情報を、特にこの回路遮断器が開放状態にあるのか、あるいは閉鎖状態にあるのかを判定することを目的として取得することができない。
【０００５】
こうした欠点こそ、電気アセンブリの回路遮断器と接触器との相互接続モジュールを提案することにより、本発明が特に解決しようとしているものであり、本相互接続モジュールにより、本相互接続モジュールの導体間における電圧の存在を検出することが可能となる。
【課題を解決するための手段】
【０００６】
こうした目的を達成するため、本発明の主題は、電気回路遮断器と電気接触器との間の相互接続モジュールであって、本相互接続モジュールは、ハウジングと、ハウジングの内部に収容された複数の高電力電源導体（high-power electrical conductor）であって、これらの高電力電源導体の各々は、回路遮断器から接触器へと電源電流（supply electric current）が流れることを可能にするために、回路遮断器の電気出力を接触器の電気入力に電気的に接続するのに適している、高電力電源導体とを備える。本発明によれば、本相互接続モジュールはさらに、高電力電源導体の少なくとも２つの間における電圧の存在を検出するのに適している電圧センサを備える。
【０００７】
本発明によれば、本相互接続モジュール内に実際に電圧センサを組み込むことにより、高電力電源導体間の電圧の存在を検出するための簡便かつ確実な手段が得られ、これにより、回路遮断器の状態を間接的に判定することが可能となっている。
【０００８】
さらに、本発明による相互接続モジュールは、既存の接触器および回路遮断器と共に使用することができる。これにより、接触器と回路遮断器とを結合しており、かつ高度な通信および診断機能を有する電気アセンブリを、既存の接触器および回路遮断器に対して構造的変更を加える必要なしに製造することが可能となっている。
【０００９】
本発明の有利かつ任意の実施形態によれば、本相互接続モジュールは、技術的に許容される任意の組み合わせにおいて、以下の特徴のうちの１つ以上を有し得る。
【００１０】
−  高電力電源導体のうちの２つは各々、第１の導電性プレートを備え、電圧センサは、
−  第１の導電性プレートのうちの１つから離間して配置され、第１の導電性プレートのうちの１つに対向する２つの第２の導電性プレートと、
−  ２つの第２の導電性プレート間における測定電圧を測定する測定回路であって、電圧の存在は、測定電圧の値に基づいて検出され、この測定電圧は、各第２の導電性プレートと、対応する高電力電源導体の第１の導電性プレートとの間における静電容量値に依存する、測定回路とを備える。
−  第２の導電性プレートは各々、相互接続モジュールの電子回路基板の１つの面上に形成され、第１の導電性プレートに平行に延伸する導電性トラックを含む。
−  第２の導電性プレートの表面は、相互に同一である。
−  第２の導電性プレートの表面は、第１の導電性プレートの表面と同一である。
−  本モジュールは、電圧センサに電気的に接続され、電圧の存在または不存在が電圧センサにより検出された場合にデータバスに信号を送信するようにプログラムされた電子処理ユニットを備える。
−  電圧センサは、測定電圧をフィルタリングするのに適しているローパスフィルタを含む。
−  電圧センサは、過電圧（overvoltage）からの保護のための双方向ツェナーダイオードを含む。
【００１１】
別の態様によれば、本発明は、
−  電気接触器であって、制御信号に応じて、接触器の複数の電流入力と複数の電流出力とを相互に選択的に接続しまたは電気的に絶縁するように構成された切り離し可能な電気接点（separatable electrical contact ）を含む電気接触器と、
−  電気接触器の電流入力に電気的に接続され、上記の電気接触器を電気回路遮断器に電気的に接続するように構成された電源導体を含む相互接続モジュールと、
を備える電気装置に関する。
【００１２】
本発明によれば、本相互接続モジュールは、上記に記載されたものであり、本相互接続モジュールの電源導体は、接触器の電流入力に電気的に接続される。
【００１３】
別の態様によれば、本発明は、電気回路遮断器と、電気接触器と、接触器に接続された相互接続モジュールとを含む電気装置と、を備える電気アセンブリに関し、本相互接続モジュールは、回路遮断器と接触器との間にあり、回路遮断器を接触器に電気的に接続する。電気装置は上記に記載したとおりである。
【００１４】
相互接続モジュールの１つの実施形態に関する以下の説明を、例示によってのみ、かつ添付の図面を参照することを所与として考慮に入れれば、本発明はより良好に理解され、またその他の利点がより明確になる。
【図面の簡単な説明】
【００１５】
【図１】本発明による相互接続モジュールを備える電気アセンブリを含む電気設備の概略図である。
【図２】回路遮断器と、接触器と、本発明による相互接続モジュールとを備える図１の電気アセンブリの概略分解斜視図である。
【図３】組立形態において、また分解図において、図１および図２の相互接続モジュールをそれぞれ概略的に示している。
【図４】組立形態において、また分解図において、図１および図２の相互接続モジュールをそれぞれ概略的に示している。
【図５】上側から、また下側から、図２の相互接続モジュールの電子回路基板をそれぞれ概略的に示している。
【図６】上側から、また下側から、図２の相互接続モジュールの電子回路基板をそれぞれ概略的に示している。
【図７】図２の相互接続モジュールにおける電源導体の概略詳細図である。
【図８】図５および図６の電子回路基板の縦断面概略図である。
【図９】図７の電源導体を流れる電流を測定する装置の概略斜視図である。
【図１０】図７の電源導体を流れる電流を測定する装置の概略斜視図である。
【図１１】図９および図１０の電流測定装置の概略分解図である。
【図１２】図８から図１０における電流測定装置の別実施形態を概略的に示している。
【図１３】図２の相互接続モジュールに装備されている電圧センサの概略断面図である。
【図１４】図１０の電圧センサの電気回路図である。
【図１５】図２の相互接続モジュールと接触器との間に設けられたデータリンクに関する２つの実施形態を概略的に示している。
【図１６】図２の相互接続モジュールと接触器との間に設けられたデータリンクに関する２つの実施形態を概略的に示している。
【発明を実施するための形態】
【００１６】
図１において、一連の電気的負荷を制御するための電気設備１を示している。本電気設備１は、ラインヘッドとも呼ばれる中央制御ユニット２と、電気的負荷４への電力の供給を制御するようにそれぞれ構成された複数の電気アセンブリ３とを含む。中央ユニット２および電気アセンブリ３は、たとえば「ＤＩＮレール」として知られるタイプの１つ以上の固定レール５に沿って固定されている。ここで、これらの電気アセンブリ３は相互に同一となっている。
【００１７】
本実施例では、電気的負荷４は、非同期モータなどの産業用電気モータである。
【００１８】
図１を単純化するために、電気アセンブリ３が２台のみ示されている。システム１は、代わりにこのような電気アセンブリ３を異なる台数備えていてもよい。同様に、モータ４が１台のみ示されている。
【００１９】
電気アセンブリ３の各々は、電気的負荷４への電力の供給を制御するように構成されている。より正確には、電気アセンブリ３の各々は、電源装置（図示せず）と電気的負荷４の１つとの間に挿入されている。したがって、電気アセンブリ３は、上記の電気的負荷４への電力の供給を、たとえば対応する電気的負荷４への電力の供給を選択的に有効にしたり、または無効にしたりすることで、制御するように構成されている。本実施例では、電源装置は、ここでは三相交流となっている電源電流を供給している。
【００２０】
図２に示すように、電気アセンブリ３の各々は、回路遮断器１０と、接触器２０と、回路遮断器１０および接触器２０の間に設けられた相互接続モジュール３０とを備える。
【００２１】
回路遮断器１０は、異常または安全上の不具合が生じた場合に、電源装置からの電流の流れを遮断するように構成されている。上記の不具合としては、たとえば過電流または短絡が挙げられる。
【００２２】
ここで、回路遮断器１０は、複数の電極を備える多極回路遮断器であって、これらの電極はそれぞれ、電源電流における１つの電気的位相に関連している。一例として、回路遮断器１０は、各電極に対して、回路遮断器１０内部の切り離し可能な電気接点により相互接続された電流入力と電流出力とを含む。これらの電気接点は、開放状態と閉鎖状態との間で切り替えることができ、かつ電流入力と電流出力との間を電流が流れるのを防止するように、または電流入力と電流出力との間を電流が流れることができるようにしている。この切り替えは、過電流や短絡などの異常が発生した場合に、電気的不具合検出回路により自動的に行われる。
【００２３】
回路遮断器１０の電流入力は電源装置に接続されている。
【００２４】
接触器２０は、中央ユニット２が供給する制御信号の関数として、回路遮断器１０の出力からの電流の流れが対応する電気的負荷４へと向かうのを遮断するか、または許可するように構成されている。
【００２５】
ここで、接触器２０は、複数の電極を備える多極接触器であって、これらの電極はそれぞれ、電源電流における１つの電気的位相に関連している。一例として、接触器２０は、各電極に対して、接触器２０内部の切り離し可能な電気接点により相互接続された電流入力と電流出力とを含む。これらの電気接点は、開閉位置間で選択的に可動であり、かつ接触器２０の電流入力と電流出力との間で電流が流れるのを阻止するか、または許可している。制御信号に応じた動作は、接触器２０内部のアクチュエータにより行われている。このアクチュエータは、たとえばソレノイドを含む。
【００２６】
接触器２０はまた、切り離し可能な電気接点の状態を測定するセンサを備える。これらのセンサは、具体的に、接点が正常な閉鎖状態にあることを示す第１のステータス信号、すなわち「ＮＣ」ステータス信号と呼ばれる信号を供給するように構成されている。これらのセンサはまた、接点が正常な開放状態、すなわち「ＮＯ」状態にあることを示す第２のステータス信号を供給するように構成されている。これらのステータス信号により、接触器２０の状態の診断を確立することが可能となっている。
【００２７】
接触器２０の電流出力は、対応する電気的負荷４に電気的に接続され、かつ上記の電気的負荷４に対して、電源電流により電力を供給している。
【００２８】
中央ユニット２は、接触器２０の各々を選択的に制御し、かつ上記の接触器２０の各々により供給される接触器２０のそれぞれの状態に関する情報を収集するように特に構成されている。このために、設備１は、各種電気アセンブリ３を中央ユニット２に接続するデータバスを含む。ここでは、このデータバスは、以下でより詳細に説明するように、リボンケーブル６により、電気アセンブリ３を、ここでは２台ずつ直列接続することにより形成されている。
【００２９】
相互接続モジュール３０は、回路遮断器１０の電流出力を接触器２０の対応する電流入力に対して電気的に接続している。さらに、相互接続モジュール３０は、以下により詳細に説明するように、回路遮断器１０から接触器２０へと流れる電流を表す物理的大きさを測定するように構成されている。ここで、モジュール３０は、接触器２０の上側であり、かつ回路遮断器１０の下側となる位置に配置されることが意図されている。
【００３０】
図３から図６において、相互接続モジュール３０の一実施例をより詳細に示している。相互接続モジュール３０は、電源導体（power electrical conductor）３１、３２、および３３と、支持プレート４０と、電子回路基板５０と、ケーシング７０とを特に備える。相互接続モジュール３０は、電流測定装置６０と、電圧センサ８０と、データリンク９０とをさらに備え、それらの役割についてはそれぞれ、以下でより詳細に記載されている。
【００３１】
各電源導体３１、３２、または３３は、電源電流の電気的位相に関連している電流を送るように構成されている。電源導体３１、３２、および３３の各々は、回路遮断器１０の電極の電流出力を、同一の電極に対応する接触器２０の対応電流入力に電気的に接続している。
【００３２】
「電源導体」とは、１０アンペア以上、好適には１００アンペア以上の電流を伝導するように構成された導体を意味する。比較すると、データバスのリボンケーブル６を流れる電流は、電源電流の少なくとも１０倍または１００倍小さい。
【００３３】
ここで、電源導体３１、３２、および３３は、銅などの導電性材料製である。
【００３４】
図７に示すように、電源導体３１、３２、および３３の各々は、平面の中央部と、上部および下部とを含む。この中央部は平坦なプレートの形態をとっている。上部および下部は、中央部の両端部から、この平坦なプレートに対して垂直に突出している。これらの上部および下部は、中央部の両側において、相互に平行となっている。
【００３５】
電源導体３１、３２、および３３の中央部は、それぞれ３１１、３２１、および３３１として示されている。電源導体３１、３２、および３３の上部は、３１２、３２２、および３３２として示され、電源導体３１、３２、および３３の下部は、３１３、３２３、および３３３として示されている。
【００３６】
モジュール３０の組立形態において、中央部３１１、３２１、および３３１は、幾何学的平面Ｐに平行となっている。
【００３７】
各上部３１２、３２２、または３３２はそれぞれ、接続領域３１４、３２４、もしくは３３４において終端しており、かつ別の電気コネクタとの別の電気的接続を行って、この電源導体を回路遮断器１０の電流出力と接続するための接続ねじを収容するように構成されたねじ孔を含む。
【００３８】
同様に、各下部３１３、３２３、または３３３はそれぞれ、接続領域３１５、３２５、もしくは３３５において終端しており、かつ別の電気コネクタとの電気的接続を行って、この電源導体を接触器２０の電流出力と接続するための接続ねじを収容するように構成されたねじ孔を含む。
【００３９】
モジュール３０の組立形態において、電源導体３１、３２、および３３は、それらの上部３１２、３２２、および３３２が相互に平行となり、またそれらの下部３１３、３２３、および３３３が相互に平行となるように、相互に位置合わせされている。電源導体３２は、電源導体３１と３３との間に配置されている。
【００４０】
本実施例では、電源導体３１、３２、および３３は同様の形状を有しているので、それらの相違点のみが以下で詳細に記載されている。
【００４１】
有利には、電源導体３１、３２、および３３は、接続領域３１４、３２４、および３３４および／または接続領域３１５、３２５、および３３５の特定の形状の点において異なっている。これにより、種々の電極の視覚的識別が容易になり、また相互接続モジュール３０を組み立てる作業者が電源導体３１、３２、および３３の位置を入れ替えてしまうことを防止するポカヨケ機能が得られる。
【００４２】
電源導体３１、３２、および３３はまた、それらの中央部３１１、３２１、および３３１において寸法が相互に異なっている。
【００４３】
具体的には、電源導体３１および３３は、それぞれの中央部３１１および３３１において幅が広がっている。この余幅は、それぞれプレート３１６および３３６の形態をとっており、これらは中央部３１１および３３１と一体化されている。
【００４４】
ここで、プレート３１６と３３６とは同一となっており、幅「Ｌ」および長さ「ｌ」の矩形形状を有している。具体例として、ここでは幅Ｌは１２ｍｍに等しく、長さｌは６ｍｍに等しい。幅Ｌおよび長さｌは、モジュール３０の組立形態において、幾何学的平面Ｐに対して平行に測定されている。
【００４５】
支持プレート４０は、平面Ｐに位置する本質的に平面の形状を有している。この支持プレート４０は、たとえばポリアミド６−６のようなプラスチック材料などの硬質の電気絶縁材料製となっている。
【００４６】
支持プレート４０は、電源導体３１、３２、および３３の中央部３１１、３２１、および３３１上であって、上記の中央部３１１、３２１、および３３１の対向面の両側において成形された領域４１を含む。これらの成形領域４１により、電源導体３１、３２、および３３を電子回路基板５０から電気的に絶縁することが一部可能となっている。成形領域４１は、中央部３１１、３２１、および３３１の幅に対応する寸法を有し、これは特に中央部３１１および３３１の高さに設けられたプレート３１６と３３６とに配慮したものとなっている。
【００４７】
したがって、電源導体３１、３２、および３３は、支持プレート４０と一部一体化されている。上部３１２、３２２、および３３２と、下部３１３、３２３、および３３３は、図８に示すように、支持プレート４０の両側において突出している。
【００４８】
支持プレート４０および成形領域４１の存在により、電源導体３１、３２、および３３と電子回路基板５０との間に電気的絶縁が施される。
【００４９】
本実施例では、モジュール３０は、接触器２０に機械的に固定されることが意図されている。一例として、モジュール３０は、これを接触器２０のケーシングにしっかりと取り付けるための固定装置（図示せず）を備える。
【００５０】
したがって図２に示すように、組立形態において、接触器２０と相互接続モジュール３０とは電気装置を形成している。このために、モジュール３０のケーシング７０は、接触器２０のケーシングに対して相補的な形状を有している。
【００５１】
図３に示すように、ケーシング７０は、より詳細には接合され、かつ「Ｌ字形」に垂直に延伸する２つの主要ブロックを含む形状を有している。ケーシング７０は、たとえば成形プラスチック製となっている。
【００５２】
モジュール３０が接触器２０に取り付けられている形態では、前面ブロック７１と呼ばれるこれらのブロックの１つが、接触器２０の前面と接触している。上部ブロック７２と呼ばれる他のブロックは、接触器２０の上面に設けられている。電源導体３１、３２、および３３と、プレート４０と、電子回路基板５０とは、上部ブロック７２の内部に収容されている。
【００５３】
ケーシング７０は本体を含み、この本体は、中空ハウジングと、本体を被覆し、かつ閉じているカバーとを画定している。この本体およびカバーを組み立てることにより、ケーシング７０の２つのブロック７１および７２が形成される。
【００５４】
あるいは、ケーシング７０の形状は異なっていてもよい。
【００５５】
モジュール３０の組立形態において、上部３１２、３２２、および３３２の接続領域３１５、３２５、および３３５は、上部ブロックから、ここではカバーを通って延出している。
【００５６】
ここで、モジュール３０は、接続領域３１５、３２５、および３３５を回路遮断器１０の対応する電流出力に接続するのを容易にするための端子ブロック７３を備える。この端子ブロック７３は、ブロック７２の上面に設けられている。ここで、端子ブロック７３は、ケーシング７０内で一体化されている。
【００５７】
端子ブロック７３が使用される場合、接続モジュール３０と回路遮断器１０との電気的接続は、専用の電気ケーブルにより行われ、これらの電気ケーブルの各終端部は、端子ブロック７３のねじにより、電源導体３１、３２、および３３にそれぞれ接続されている。したがって、回路遮断器１０は、ケーシング７０と接触することが必須とならずに、接続モジュール３０から離れた位置に固定され得る。これにより、特に電気設備１の環境に依存して、多種多様な状況にモジュール３０の使用を適応させることが可能となる。
【００５８】
あるいは、端子ブロック７３をケーシング７０に対して取外し可能に搭載してもよい。
【００５９】
別の代替形態によれば、端子ブロック７３を省略してもよい。端子ブロック７３を省略すると、電源導体３１、３２、および３３の接続領域３１５、３２５、および３３５に対しては、ケーシング７０の外側から直接接近可能となる。このようにして、回路遮断器１０の接続モジュール３０への直接接続を、簡単に行うことができる。その場合、回路遮断器１０はモジュール３０と接触している。したがって、この場合、モジュール３０は回路遮断器１０を接触器２０に対して機械的に接続している。
【００６０】
有利には、前面７１は貫通孔部７４を含む。これらの孔部７４は、モジュール３０が接触器２０に取り付けられたときに、接触器２０の対応する孔に面するように配置されている。これらの孔部により、ユーザは接触器２０のクランプねじに接近するために、ドライバをモジュール３０に通すことができる。これらのクランプねじは、電気ケーブルを接触器２０の電流出力に接続し、かつこれを対応する電気的負荷４に接続するために使用されている。これにより、上記の接触器２０の形状または構造を変更する必要なしに、既存の接触器２０上でモジュール３０を使用することができる。
【００６１】
前面７１は、必要に応じて窓部７５を有している。窓部７５は、モジュール３０が接触器２０に取り付けられたときに、接触器２０の既存の窓部に面するように配置されている。実際に、接触器２０は窓部（ここでは図示せず）を有しており、これにより切り離し可能な電気接点の位置が示され、かつこれを、ユーザが切り離し可能な電気接点の位置を機械的に確認するために使用することができる。ここでもまた、上記の接触器２０の形状または構造を変更する必要なしに、既存の接触器２０にモジュール３０を取り付けることができる。
【００６２】
あるいは、孔部７４および／または窓部７５を省略してもよい。
【００６３】
図５、図６、および図８において、電子回路基板５０をより詳細に示している。電子回路基板は、電子ユニット５１を特に含む電子回路を搭載しており、この電子ユニット５１の役割および機能については後述する。電子ユニット５１は、たとえばプログラム可能なマイクロコントローラとなっている。
【００６４】
ここで、電子回路基板５０は、導電性トラックにより剛性の絶縁支持体上に形成されたプリント回路を備える。この絶縁支持体は、たとえばエポキシ樹脂製プリント回路基板（ＰＣＢ−Ａ）となっている。
【００６５】
「５０１」は電子回路基板５０の上面を示しており、また「５０２」は、上面５０１に対向している電子回路基板５０の下面を示している。
【００６６】
本実施例では、電子回路基板５０上に存在する電子回路の電子部品は上面５０１上に設けられている。プリント回路を形成している導電性トラックは、反対側の下面５０２上に設けられている。
【００６７】
モジュール３０の組立形態において、電子回路基板５０は支持プレート４０に平行であり、したがって幾何学的平面Ｐに平行となっている。ここで、電子回路基板５０は、プレート４０と少なくとも一部接触している。
【００６８】
電子回路基板５０は、内部に通過孔部と呼ばれる複数の孔を有しており、これにより電源導体３１、３２、および３３の上部３１２、３２２、および３３２が通ることができるようになっている。モジュール３０が組立形態にあるとき、このようにして、電源導体３１、３２、および３３の各々が電子回路基板５０を通っている。上部３１２、３２２、および３３２は、電子回路基板５０に対して垂直である。
【００６９】
あるいは、電源導体３１、３２、および３３の下部３１３、３２３、および３３３が通ることができるように、中央部３１１、３２１、および３３１の下に電子回路基板５０を設けている。この場合、上面５０１と下面５０２とが入れ替えられる。
【００７０】
電子ユニット５１は、データバスに接続されるように構成された接続インターフェースを備える。このために、電子回路基板５０は、上面５０１に固定され、かつプリント回路の導電性トラックに接続されたコネクタ５２および５３を備える。これらのコネクタ５２および５３は、リボンケーブル６の対応するコネクタ５２’および５３’にそれぞれ接続されるように構成されている。一例として、コネクタ５２’および５３’は、可撓性電気リボンケーブルの両端部に設けられている。ここで、データバスを形成しているリボンケーブル６の不要な入れ替わりを防止するために、コネクタ５２および５３は異なるタイプとなっており、特に異なる大きさとなっている。本実施例では、コネクタ５３には、モジュール３０のケーシング７０の外側から接近可能となっている。
【００７１】
データバスは、モジュール３０と電気アセンブリ３の外部とのデータ交換を可能にしている。このデータは、たとえば接触器２０のアクチュエータの制御信号、または接触器２０の状態を示す信号で構成されている。データバスはまた、電子回路基板５０の電源装置を搭載しており、これは、たとえば２４Ｖ  ＤＣ以下の電圧となっている。
【００７２】
本実施例では、モジュール３０の組立形態において、リボンケーブル６の１本が、コネクタ５２’を介して電子回路基板５０に接続されており、残りは対応するコネクタ５２内に収容されている。この接続は、コネクタ５３’を含むリボンケーブル６の端部がケーシング７０から延出するように、モジュール３０の製造中において、たとえばケーシング７０を閉じる前に行われる。したがって、コネクタ５３’は、設備１の別の電気アセンブリ３におけるモジュール３０の対応するコネクタ５３に対して、または中央ユニット２に対して、電気的に接続され得る。
【００７３】
モジュール３０は、図９、図１０、および図１１により詳細に示している電流測定装置６０をさらに備える。
【００７４】
測定装置６０は、電源導体３１、３２、および３３を流れる電流を測定するように構成されている。このために、測定装置６０はロゴウスキー（Rogowski）型の複数の電流センサ６１、６２、および６３を備え、これらの電流センサの各々は、電源導体３１、３２、および３３の各々をそれぞれ流れる電流を測定するように構成されている。ロゴウスキー型センサを使用すると、電源導体の周辺に、その内部電流の流れにより誘起される磁束を測定することにより、電源導体を流れる電流を判定することができる。
【００７５】
ここで、電流センサ６１、６２、および６３は２台ずつ隣接しており、かつ直線的に整列している。電流センサ６１、６２、および６３の各々は、ここでは同一となっているコイルまたはソレノイド６４および６４’と、対応する電源導体３１、３２、および３３を収容する中央帯６１Ｃ、６２Ｃ、および６３Ｃとを備える。ここで、測定装置６０は、電子回路基板５０の上面５０１に固定されている。
【００７６】
接続モジュール３０の組立形態において、電源導体３１、３２、および３３の各々は、電流センサ６１、６２、および６３の各中央開口部６１Ｃ、６２Ｃ、および６３Ｃ内に収容されている。したがって、測定装置６０を使用することにより、回路遮断器１０と接触器２０との間の電源導体３１、３２、および３３を流れる電流をリアルタイムで測定することが可能となっている。
【００７７】
コイル６４および６４’は、電気的に相互接続され、対応する導体内の電流を測定するための回路を形成するように構成されている。コイル６４および６４’は直線状となっており、かつそれぞれの長手方向軸線Ｘ６４およびＸ６４’に沿って延伸している。ここで、各コイル６４および６４’は、５２０回巻き導線のコイルにより形成されたソレノイドを含み、ここではたとえば、コイル６４および６４’の各々が０．７ｍＨのインダクタンスを有する形態で、５つの層にわたって分割されている。
【００７８】
測定装置６０は、ここでは同一となっている複数の強磁性バー（ferromagnetic bar）６５と、それぞれ６６および６６’として示されており、かつコイル６４および６４’を担持している第１および第２の電機子（armature）またはフレームとをさらに備える。本実施例では、電機子６６および６６’は相互に並列となっており、測定装置６０の電流センサ６１、６２、および６３すべてに共通となっている。
【００７９】
強磁性バー６５により、対応する電源導体３１、３２、および３３を電流が流れるときに発生する磁束を誘導して、コイル６４および６４’による測定を容易にすることができる。強磁性バー６５は、たとえば軟鉄または鉄ニッケル系合金ＮｉＦｅもしくはＦｅＳｉ合金のような鉄合金製となっている。ここでは４本の強磁性バー６５が設けられている。
【００８０】
したがって、電源導体３１、３２、および３３を電流が流れるとき、磁束が発生し、かつ対応する電流センサ６１、６２、および６３のコイル６４および６４’の端子において電位差が生じている。これらの電位差は、たとえば図示されていないアナログ・デジタル変換器を使用して、電子ユニット５１により測定されている。次いで、電子ユニット５１は、たとえば所定の公式を使用して、電源導体３１、３２、および３３の各々における対応する電流を自動的に推定する。
【００８１】
ここでは、電流センサ６１、６２、および６３は同一となっているため、これに関する説明を他方に転用できることを所与として、電流センサ６１のみについて以下に詳細に説明する。
【００８２】
より正確には、電流センサ６１は、中央帯６１Ｃの両側において対向する２つの並列コイル６４および６４’を備える。電流センサ６１は、２つの強磁性バー６５をさらに備える。これらの強磁性バー６５は、コイル６４および６４’と同一平面に設けられており、コイル６４および６４’の端部間を、軸線Ｘ６４およびＸ６４’に対して垂直に延伸している。
【００８３】
電流センサ６１、６２、および６３の各々は、直近の電流センサと共有されている強磁性バー６５を備える。この場合、電流センサ６１は、ここでは電流センサ６２とバー６５を共有している。同様に、電流センサ６３は、電流センサ６２とバー６５を共有している。
【００８４】
したがって、本実施例では、測定装置６０は３つのコイル６４と３つのコイル６４’とを備える。測定装置６０はまた、コイル６４とコイル６４’との間に延伸する４本の強磁性バー６５を備える。この電流センサ６１に対して多角形、ここでは正方形の輪郭を形成するように、コイル６４、６４’および強磁性バー６５は、幾何学的平面Ｐに平行な共通平面に配置されている。この多角形の輪郭は、対応する中央開口部６１Ｃを画定している。
【００８５】
本発明の好適な実施形態では、電機子６６および６６’の各々は、直線形状を有している。コイル６４および６４’は、これらの電機子６６および６６’において巻回されている。したがって、コイルの長手方向軸線Ｘ６４またはＸ６４’は、各電機子６６もしくは６６’の長手方向軸線と一致している。コイル６４は電機子６６の周りに巻回されており、またコイル６４’は電機子６６’の周りに巻回されている。
【００８６】
本実施例では、電機子６６および６６’の各々は、強磁性バー６５の１本における一方の端部を収容するように構成されたハウジングまたはセルを備える。
【００８７】
ここでは、このようなハウジングが４つ設けられている。ハウジング６６１は、電機子６６および６６’の端部に設けられている。ハウジング６６１間において、ハウジング６６２および６６３が設けられている。あるいは、この種のハウジングの数は異なっていてもよく、好適には少なくとも２つに等しいものとなっている。
【００８８】
本実施例では、強磁性バーは、直方体形状のプレートの形態をとっている。例示として、各強磁性バー６５は、１５ミリメートルの長さと、５ミリメートルの幅と、２ミリメートルの厚さとを有している。ハウジング６６１は、バー６５の端部の形状に対して相補的な形状を有している。ここで、ハウジング６６１、６６２、および６６３は、電機子６６および６６’の内部で一体化されている。実際に、これらのハウジング６６１、６６２、および６６３により、コイル６４および６４’の巻線領域が画定され得る。
【００８９】
有利には、電機子６６および６６’は、この電機子を反対側の電機子にしっかりと接続して測定装置６０を形成するための、固定要素６６４および６６５を含む。また、これらの固定要素６６４および６６５により、強磁性バー６５を定位置に保持することが可能となっている。本実施例では、固定要素６６４および６６５は、ハウジング６６２および６６３により支持されている。
【００９０】
ここで、固定要素６６４および６６５を嵌合することができ、またこれらは、たとえば挟み込みによる嵌合が可能である、ほぞ接合タイプなどの相補的形状となっている。あるいはそれらを、たとえばフックを使用して別の形態に形成することができる。
【００９１】
例示として、電機子６６の中間ハウジング６６２は、雄型固定要素６６４を担持している。測定装置６０の組立形態において、電機子６６’はハウジング６６２に面しており、このハウジング６６２は、その雄型固定要素に対して雌型固定要素６６５を担持している。
【００９２】
測定装置６０が電子回路基板５０上で組立形態にあるとき、電機子６６および６６’は、幾何学的平面Ｐに対して垂直に測定装置６０から突出している固定スタッド６７を担持している。
【００９３】
図９に示すように、固定スタッド６７は測定装置６０と同側に設けられており、より正確には、電子回路基板５０と接触することを意図された測定装置６０の側部に設けられている。これらの固定スタッド６７は、電子回路基板５０へと通じる対応する孔に収容されるようになっている。これにより、一方で測定装置６０を電子回路基板５０に固定することが可能となるだけでなく、電源導体３１、３２、および３３が通ることを想定して、中央開口部６１Ｃ、６２Ｃ、および６３Ｃが電子回路基板５０の開口部に面するように、測定装置６０の位置合わせを容易にすることもできる。
【００９４】
測定装置６０は、コイルをハウジング６６１、６６２、および６６３の遠位端部に接続するための接続ピン６８をさらに備え、ここではそれらは電機子６６および６６’上に設けられている。これらの接続ピン６８は、電子回路基板５０の導電性トラックを介して、コイル６４および６４’の各々の両端部を制御ユニット５１に電気的に接続するように機能し、これにより相互間で電気的接触が直接行われるようになっている。より正確には、コイル６４および６４’の各々において巻線を形成する導線の端部は、次いでこのピン６８の周りに巻回され、かつ電気的接続を行っている。各接続ピン６８は、導電性材料製の直線ロッドの形態をとっており、その一方の端部は電子回路基板５０内に収容され、かつ電子回路基板５０の電気トラックと電気的接触を行っている。
【００９５】
測定装置６０のモジュール設計により、その工業的製造を簡略化し、かつその単位コストを低減することが可能となっている。実際、ここでは電機子６６および６６’は同一となっており、測定装置６０内の相対位置においてのみ、相互に異なっている。測定装置６０は、電機子６６および６６’を頭尾構成において共に組み立てることにより形成されている。したがって、測定装置６０を、少数の部品を使用して製造することができる。
【００９６】
さらに、強磁性バー６５を使用することにより、各中央開口部の外周全体にソレノイドまたはコイル巻線が設けられている既存のロゴウスキー型電流測定装置と比較して、測定装置６０のコストが低減されている。この場合、２つのコイル６４および６４’を電流センサ６１、６２、および６３の各々に要しているが、そのようなコイルを少なくとも４つ要する公知のロゴウスキー型電流センサよりも少ない形態となっている。
【００９７】
測定装置６０を、以下の方法で工業的に製造することができる。
【００９８】
第１の工程では、電機子６６または６６’が用意される。この電機子６６または６６’には、あらかじめ接続ピン６８が設けられている。
【００９９】
次いで、第２の工程では、たとえば自動巻線機を使用して、電機子６６の巻線領域において巻回することにより、コイル６４が形成される。まず、導線を接続ピン６８の１つの周りに１回巻回し、次いで電機子６６の第１の巻線領域の周りに繰り返し巻回して、第１のコイル６４を形成する。この導線は、次いで電機子６６における別の接続ピンの周りに巻回される。次いでこの導線が切断され、その後、電機子６６の巻線領域の各々に対して、同様の方法で上記の動作が繰り返される。したがって、コイルは簡単な方法で電機子６６の周りに形成される。
【０１００】
次いで、第３の工程では、測定装置６０を組み立てる。このために、コイル６４および６４’を担持している電機子６６および６６’は、相互に対向する形態で接合される。強磁性バー６５は、電機子６６のハウジング６６１、６６２および６６３の各々に挿入されている。次いで、各強磁性バー６５の各々における反対側の端部を電機子６６’の対応するハウジング６６１、６６２、および６６３に挿入することにより、電機子６６が電機子６６’に固定される。次いで、固定要素６６４および６６５の一方が他方に挿入され、その後挟み込みにより固定されて、これらの電機子６６および６６’を相互に固定する。
【０１０１】
その後、測定装置６０を電子回路基板５０に取り付ける準備が整う。
【０１０２】
図１２において、測定装置６０の別実施形態を示している。「６００」は、本実施形態の電流測定装置を示している。この測定装置６００は、電源導体３１、３２、および３３が、相互に重ね合わせられた電源導体３１０、３２０、および３３０と置き換えられた形態の接続モジュール３０の変形例に、特に適している。
【０１０３】
この測定装置６００の構成要素は測定装置６０の構成要素と類似しているため、同一の参照符号にゼロが付加されている。たとえば、測定装置６００は強磁性バー６５０を備え、これらは測定装置６０の強磁性バー６５と同様である。したがって、これらの要素については、上記の説明をそれらに置き換えることができることを所与として、詳細には説明しない。ここでは２本のバー６５０が設けられている。
【０１０４】
測定装置６００が測定装置６０と特に異なっているのは、電機子６６０および６６０’がそれぞれ、直線状の主要部と、この主要部から垂直に突出している枝状の補助部とを含んでいる点である。
【０１０５】
本実施例では、電機子６６０および６６０’はそれぞれ、主要部と同側において３つの補助部を含み、したがってこれらの電機子はＥ字形となっている。そのため、コイル６４０は、電機子６６０の突出した補助部上に形成されている。コイル６４０’に関しては、電機子６６０’の突出した補助部上に形成されている。
【０１０６】
電機子６６０および６６０’の主要部の各々は、主要部の全長にわたって延伸し、かつ強磁性バー６５０のうちの１本を収容する開口部を含む。
【０１０７】
この構成により、電機子６６０および６６０’を、電源導体３１０、３２０、および３３０の周りで共に組み立てることができる。
【０１０８】
図１３および図１４において、電圧センサ８０をより詳細に示している。
【０１０９】
電圧センサ８０は、電源導体３１、３２、および３３のうちの２つ、すなわちここでは電源導体３１および３３の間に、電位差が存在するか否かを検出することを目的としている。これにより、回路遮断器１０の状態を検出し、かつこの回路遮断器が開放されているか、または閉鎖されているかを特に判断する間接的な方法が提供される。電子ユニット５１はさらに、電圧センサ８０により供給されるデータを使用して、回路遮断器１０の状態を示す信号を生成するように構成されている。
【０１１０】
電圧センサ８０は、少なくとも１つの導電性プレートまたは電界センサを備え、これは各電源導体３１、３２、および３３のプレート３１６、３２６、および３３６の１つから離間し、かつこれに対向している。電圧の存在または不存在については、これらのプレート間における静電容量の関数として、専用の測定回路８４により間接的に判定される。
【０１１１】
より正確には、ここでは検出器８０は導電性材料製であり、かつ幾何学的平面Ｐに平行となるこのような２つのプレート８１および８３を備える。モジュール３０の組立形態において、プレート８１はプレート３１６に対向し、かつこれと位置合わせされている。同様に、プレート８３はプレート３３６に対向し、かつこれと位置合わせされている。これらのプレート８１および８３は、たとえば銅製の金属トラックを配置することにより、電子回路基板５０の面５０２上に形成されている。プレート８１および８３はそれぞれ、プレート３１６および３３６と同一の寸法を、５％以内、または好適には１％以内において有している。ここで、プレート８１および８３は同一の領域を有している。プレート８１および３１６は、成形領域４１と接触することにより、相互に離間している。これは、プレート８３および３３６それぞれについても同様である。
【０１１２】
「ｄ」は、幾何学的平面Ｐに垂直な方向において測定されたプレート８１と３１６との間の距離を示している。この距離ｄは、プレート３１６の上面を被覆する成形領域４１の厚さに等しい。プレート８１がプレート３１６に可能な限り接近しつつも、電源導体３１における成形領域４１の電気絶縁機能が損われることのないように、距離ｄは選択されている。距離ｄは、好適には２ｍｍ以下であり、より好適には０．５ｍｍ乃至１ｍｍ、さらに好適には０．６５ｍｍ乃至０．８５ｍｍである。例示として、ここでは距離ｄは０．８ｍｍに等しい。プレート８３および３３６はまた、距離ｄ分離間している。
【０１１３】
Ｃ１はプレート８１および３１６により形成されるコンデンサを示しており、Ｃ２はプレート８３および３３６により形成されるコンデンサを示している。ここでは、プレート８１、８３、３１６、および３３６の寸法と相対配置とを所与とすれば、コンデンサＣ１およびＣ２のそれぞれの静電容量が等しくなっている。
【０１１４】
コンデンサＣ１の静電容量は（ε×Ｓ）／ｄに等しく、ここでＳは相互に対向しているプレート８１および３１６間の面積であり、「ε」は成形領域４１を形成している材料の電気誘電率である。ここで、プレート８１とプレート３１６とが同一であり、相互に対向していることを所与とすれば、面積Ｓは、幅Ｌと長さｌとの積に等しい。上記に示された数値を所与とすれば、ここでは面積Ｓは７４ｍｍ２に等しい。ポリアミド６−６の場合、距離ｄが０．６５ｍｍ乃至０．８５ｍｍであれば、コンデンサＣ１は２．８ｐＦ乃至４．４ｐＦの静電容量値を有する。コンデンサＣ１の静電容量が距離ｄに反比例することを、当業者なら理解する。
【０１１５】
センサ８０はまた、プレート８１および８３および測定抵抗器８０１を含む測定回路８４を備え、この測定抵抗器８０１の端部はプレート８１およびプレート８３に接続されている。測定回路８４は、測定抵抗器８０１の端子において測定電圧Ｖｍを取得するように構成されている。
【０１１６】
有利には、測定回路８４は、測定回路８４を過電圧から保護する双方向ツェナーダイオード８０２を含み、この過電圧は、特に電気設備１またはその電源装置が雷により打撃を受けた場合に発生する恐れがある。
【０１１７】
測定回路８４は、アナログ・デジタル変換器（図示せず）を介して電子ユニット５１の入力に接続されている。有利には、測定回路８４はまた、４５Ｈｚ乃至６５Ｈｚの範囲の周波数を通過させるように構成されたローパスフィルタ８０３を含む。
【０１１８】
フィルタ８０３により、センサ８０の誤動作を招く恐れのある、アナログ・デジタル変換器の入力の飽和を回避することができる。この種のフィルタ８０３により、回路８４による測定を妨害する恐れのある電源電流の高調波をフィルタリングすることが特に可能となっている。ここで、電気アセンブリ３の電源電流は、５０Ｈｚまたは６０Ｈｚに等しい周波数を有している。
【０１１９】
最後に、センサ８０は面５０２上において電気接地面８２を含み、かつ電磁干渉から装置８０を保護するために、測定回路８４の電気接地ＧＮＤに接続されている。この接地面８２は、面５０２上において、電流センサ６１が占有する領域に面している領域に金属層を配置することにより形成されている。
【０１２０】
本実施例では、電源導体３１と３３との間の電圧センサ８０により、電圧の存在が検出されている。これらの電源導体３１および３３の間に電圧Ｖｐが存在する場合、抵抗器８０１の端子における測定電圧Ｖｍは、電圧ＶｐとコンデンサＣ１およびＣ２の静電容量とに依存する値に等しくなっている。電圧Ｖｍは以下の公式を使用して計算され、その公式は、たとえば
【数１】
2018010864.tif 000003
であり、ここで「Ｒｍ」は測定抵抗器８０１の抵抗値であり、「Ｚｍ」は電子ユニット５１の入力における測定インピーダンスであり、また「Ｃ」はコンデンサＣ１およびＣ２の静電容量である。
【０１２１】
例示として、周波数５０Ｈｚの３８０Ｖに等しい電圧Ｖｐに対して、電圧Ｖｍは１５０ｍＶに等しくなる。
【０１２２】
別の例示的実施例によれば、周波数６０Ｈｚの１９０Ｖに等しい電圧Ｖｐに対して、電圧Ｖｍは６２ｍＶに等しくなる。
【０１２３】
一方で、電源導体３１と３３との間に電圧が存在しない場合には、測定電圧はゼロとなる。
【０１２４】
ユニット５１は、測定回路８４により取得された測定電圧を、たとえば時間の経過とともに連続的にまたは反復的に測定し、かつ取得された測定電圧Ｖｍの関数として、対応するステータス信号を生成するようにプログラムされている。次いで、ユニット５１は、たとえば所定の時間において、または中央ユニット２により送信された要求に応じて、このステータス信号をデータバスに送信する。
【０１２５】
一例として、測定電圧Ｖｍが、たとえば電源電流における周波数の持続時間の１０倍を超えるような長い時間、好適にはこれの１００倍を超える長い時間ゼロのままであった場合、電子ユニット５１は、電源導体３１と３３との間に電圧が存在しないと自動的に判定する。その他の場合には、電子ユニット５１は、電源導体３１と３３との間に電圧が存在すると判定する。
【０１２６】
この種の電圧センサ８０により、電圧の存在または不存在を検出することが可能となり、したがって、物理的に回路遮断器１０に接近する必要なしに、モジュール３０を含む電気アセンブリ３の回路遮断器１０の状態を推定することが可能となる。このような検出は、電源導体３１、３２、および３３との電気的接触を直接行うことなしに達成される。したがって、より高価であり、かつその組込みがより複雑化しているガルバニック絶縁を、電圧センサ８０に施す必要がない。電源導体３１と３３との間に電圧Ｖｐが存在しているか否かを確認することが、ここでは主に必要とされており、また電圧の正確な値を取得することが必ずしも必要とされていないので、測定の精度に関しては、電圧センサ８０の正常な動作の面では問題とならない。
【０１２７】
あるいは、たとえば、プレート８１および８３を、中央部３１１、３２１、および３３１のうちの１つに面するように配置された単一の電界センサと置き換えることにより、電圧センサ８０を異なる方法で設けることができる。
【０１２８】
図１５および図１６において、モジュール３０と接触器２０との間に設けられたデータリンク９０を示している。このデータリンク９０は、接触器２０を開閉するための制御信号を送信するように構成されている。このデータリンク９０はまた、接触器２０の状態を測定する１つ以上の信号を収集するように構成されている。この装置９０は、接触器２０の対応する信号入出力インターフェースに接続されるように構成されている。
【０１２９】
より正確には、接続部９０はコネクタ９１と、一対のワイヤ９２、９３、および９４とを含む。コネクタ９１は、電子回路基板５０に接続されるように構成されている。たとえば、コネクタ９１は、上記の電子回路基板５０における一方の端部において基板５０に固定されている。
【０１３０】
有利には、リンク９０は、一対のワイヤ９２、９３、および９４が取り付けられた剛性電機子を含む。たとえば、この電機子は、一対のワイヤ９２、９３、および９４の上に成形されたプラスチック製である。これにより、特にワイヤ９２、９３、および９４が占有する空間を縮小することで、モジュール３０を接触器２０に取り付けることが容易になる。この電機子を省略してもよい。
【０１３１】
コネクタ９１は、一対のワイヤ９２、９３、および９４におけるワイヤのうちの１本を収容するように意図された複数の開口部を備え、かつこれらを電子回路基板５０のプリント回路の対応する電気トラックに電気的に接続している。
【０１３２】
たとえば、一対のワイヤ９２のワイヤは、接触器２０のアクチュエータに電力を供給するように意図されている。一対のワイヤ９３は、接触器２０の対応する出力インターフェースからＮＯステータス信号を収集するように構成されている。同様に、一対のワイヤ９４のワイヤは、接触器２０の対応する出力インターフェースからＮＣステータス信号を収集するように構成されている。
【０１３３】
図１１に示すように、本実施例では、ワイヤ９２に関連する端子の１つは、ワイヤ９３に関連する端子の１つと共通となっている。たとえばこれは、対応する信号が電気接触器２０の共通の電気接地に対して生成されるからである。あるいは、これらの２本のワイヤは、相互に離間していてもよい。
【０１３４】
図１２において、リンク９０の別実施形態を示している。９０’として示されているこのデータリンクは、リンク９０に類似しているが、一対のワイヤ９４が省略されているという点でこれとは異なっている。これは、ＮＣステータス信号を確認する必要がない適用例において有用である。
【０１３５】
測定装置６０、電圧センサ８０、および電子制御ユニット５１を採用した結果、モジュール３０により、回路遮断器１０および接触器２０の動作状態に関する情報のリアルタイム収集が可能となり、またその情報の効用として、かつ／または中央ユニット２経由によるそれらの制御に改善がもたらされる。
【０１３６】
本モジュール３０により、回路遮断器１０または接触器２０の構造もしくは作用を変更する必要なしに、電気アセンブリ３は高度な通信および制御機能を有することができる。したがって、モジュール３０により、既存の製品範囲に対して、かつ既存の電気設備１に既に設置されている回路遮断器１０および／または接触器２０に対してさえ、新たな機能を付加することが可能となっている。
【０１３７】
上記の実施形態および変形形態を相互に組み合わせて、新たな実施形態を創出することができる。
【図１】
2018010864.tif 000004
【図２】
2018010864.tif 000005
【図３】
2018010864.tif 000006
【図４】
2018010864.tif 000007
【図５】
2018010864.tif 000008
【図６】
2018010864.tif 000009
【図７】
2018010864.tif 000010
【図８】
2018010864.tif 000011
【図９】
2018010864.tif 000012
【図１０】
2018010864.tif 000013
【図１１】
2018010864.tif 000014
【図１２】
2018010864.tif 000015
【図１３】
2018010864.tif 000016
【図１４】
2018010864.tif 000017
【図１５】
2018010864.tif 000018
【図１６】
2018010864.tif 000019
【外国語明細書】
2018010864000001.pdf